(57)【要約】【課題】扉体を開制御できない場合であっても、内水排除が確実に行えるようにした防潮水門を提供する。【解決手段】河川１に設置されて、扉体１１の上動時Ｕに水路３を開くとともに、扉体１１の下動時Ｄに水路３を閉じるように開閉制御される防潮水門である。扉体１１の上段部１１Ａは、フラップゲート１２で構成され、このフラップゲート１２は、下段部１１Ｂの上部に、河川方向に起き上がる起立・全閉位置Ｃと、海側方向に倒れる倒伏・全開位置Ｏとに揺動自在に支持されている。カウンタウェイト１８により、フラップゲート１２は、常時は起立・全閉位置Ｃに保持されるとともに、河川側から水圧が作用している間は、倒伏・開き方向に揺動するようにバランスされている。【選択図】図４
2014125762.tif 000002
【特許請求の範囲】
【請求項１】
河川に設置されて、扉体の上動時に水路を開くとともに、扉体の下動時に水路を閉じるように開閉制御される防潮水門において、
前記扉体は、上段部と下段部とに区分けされ、
前記上段部は、フラップゲートで構成され、このフラップゲートは、前記下段部の上部に下端部がヒンジ結合されて、河川方向に起き上がる起立・全閉位置と、海側方向に倒れる倒伏・全開位置とに揺動自在に支持され、
前記フラップゲートにカウンタウェイトが連結され、このカウンタウェイトにより、フラップゲートは、常時は起立・全閉位置に保持されるとともに、河川側から水圧が作用している間は、倒伏・開き方向に揺動するようにバランスされていることを特徴とする防潮水門。
【請求項２】
前記扉体の下段部の海側の面に、上下揺動自在に支持されたレバー部材が設けられ、
前記カウンタウェイトは、前記レバー部材の一端部に取付けられ、このレバー部材の他端部と前記フラップゲートとがリンク部材で連結されて、
前記フラップゲートに河川側から水圧が作用している間は、前記フラップゲートの倒伏・開き方向の揺動でリンク部材を介してレバー部材がカウンタウェイトを持ち上げながら略横向き方向に揺動され、
前記フラップゲートに河川側から水圧が作用しなくなったときは、前記カウンタウェイトの重量で前記レバー部材が略下向き方向に揺動されて、前記リンク部材を介してフラップゲートが起立・全閉位置に揺動されるようになることを特徴とする請求項１に記載の防潮水門。
【請求項３】
前記扉体の海側の面に、前記フラップゲートが起立・全閉位置では引き下げられ、倒伏・全開位置では引き上げられるロープ部材が設けられ、
前記カウンタウェイトは、前記ロープ部材の下端部側に複数個に分割されて取付けられ、
各分割カウンタウェイトは、前記フラップゲートが倒伏・開き方向に揺動するときは、前記ロープ部材で上から順に持ち上げられ、前記フラップゲートが起立・閉じ方向に揺動するときには、下から順に水路の底面に積み上げられるようになっており、
前記フラップゲートに河川側から水圧が作用している間は、前記フラップゲートの倒伏・開き方向の揺動でロープ部材を介して分割カウンタウェイトが上から順に持ち上げられ、
前記フラップゲートに河川側からの水圧が作用しなくなったときは、前記分割カウンタウェイトの重量で、前記ロープ部材を介してフラップゲートが起立・全閉位置に揺動されるようになることを特徴とする請求項１に記載の防潮水門。
【請求項４】
前記扉体の上段部の略全面に、正面視で略Ｕ字状の開口部が形成され、この開口部に前記フラップゲートが嵌め合わされていることを特徴とする請求項１〜３のいずれか一項に記載の防潮水門。
【発明の詳細な説明】
【技術分野】
【０００１】
本発明は、防潮水門に関する。
【背景技術】
【０００２】
従来、図１２に示すように、河川１に設置されて、扉体２の上動時Ｕに水路３を開くとともに、扉体２の下動時Ｄに水路３を閉じるように開閉制御される防潮水門４がある（特許文献１参照）。
【０００３】
この防潮水門は、津波や高潮の対策として設置されているもので、図１２（ａ）のように、常時は扉体２を上動させて水路３を開いている。そして、図１２（ｂ）のように、津波や高潮が押し寄せる直前に扉体２を下動させて水路３を閉じることで、津波や高潮が河川の上流側に遡上するのを阻止するものである。
【０００４】
ところで、扉体２を越波して河川の上流側に遡上した津波や高潮の押し波は、やがて引き波として河川の下流側に戻ってくることから、引き波を海側に排除するために、扉体２を上動させて水路３を開いておく必要がある。
【先行技術文献】
【特許文献】
【０００５】
【特許文献１】特開２００７−３３２５３４号公報
【発明の概要】
【発明が解決しようとする課題】
【０００６】
しかしながら、特に地震に起因する津波では、地震に伴う停電等で防潮水門４の扉体２を開制御できない場合が生じる。また、作業員が防潮水門４の扉体２を開制御する作業ができない場合も生じる。
【０００７】
このような場合、引き波やがれき等の浮遊物が防潮水門４の上流側に溜まるので、洪水被害や交通網の麻痺のような弊害が発生するおそれがある。
【０００８】
また、高潮が押し寄せる直前に扉体２を下動させて水路３を閉じた後、河川の上流側の大雨による出水が発生した場合も、出水や流木等の浮遊物が防潮水門４の上流側に溜まるおそれもある。
【０００９】
そのため、防潮水門４の扉体２を開制御できない場合であっても、引き波や出水を海側に排除できる、いわゆる内水排除の対策が必要になる。
【００１０】
なお、想定外の高さの津波に対応するために、防潮水門４の高さ（ゲート高さ）を高くすることが考えられるが、景観の阻害や不経済の問題がある。仮に、ゲートを高くした場合でも、防波堤等から越波した津波が河川を通って防潮水門４の設置場所に引き波として集まるため、いずれにしても、防潮水門４には、引き波や出水、すなわち内水排除の対策が不可欠となる。
【００１１】
本発明は、前記問題を解消するためになされたもので、扉体を開制御できない場合であっても、内水排除が確実に行えるようにした防潮水門を提供することを目的とするものである。
【課題を解決するための手段】
【００１２】
前記課題を解決するために、本発明は、河川に設置されて、扉体の上動時に水路を開くとともに、扉体の下動時に水路を閉じるように開閉制御される防潮水門において、前記扉体は、上段部と下段部とに区分けされ、前記上段部は、フラップゲートで構成され、このフラップゲートは、前記下段部の上部に下端部がヒンジ結合されて、河川方向に起き上がる起立・全閉位置と、海側方向に倒れる倒伏・全開位置とに揺動自在に支持され、前記フラップゲートにカウンタウェイトが連結され、このカウンタウェイトにより、フラップゲートは、常時は起立・全閉位置に保持されるとともに、河川側からの水圧が作用している間は、倒伏・開き方向に揺動するようにバランスされていることを特徴とする防潮水門を提供するものである。
【００１３】
本発明によれば、扉体の上段部は、扉体の下段部にヒンジ結合したフラップゲートで構成して、河川方向に起き上がる起立・全閉位置と、海側方向に倒れる倒伏・全開位置とに揺動自在に支持する。そして、フラップゲートにカウンタウェイトを連結し、カウンタウェイトにより、フラップゲートを、常時は起立・全閉位置に保持するとともに、河川側からの水圧が作用している間は、倒伏・開き方向に揺動するようにバランスさせている。
【００１４】
したがって、防潮水門の扉体を開制御できない場合であっても、河川側からの水圧によって、フラップゲートが自動的に無動力で倒伏・開き方向に揺動することで、扉体の上段部に開口部が形成されるようになる。
【００１５】
これにより、引き波（出水）や浮遊物は、扉体の上段部の開口部を通過して海側に確実に排除されるようになる（内水排除）。この結果、引き波等が防潮水門の上流側に溜まりにくくなって、洪水被害や交通網の麻痺のような弊害が発生するおそれが少なくなる。
【００１６】
また、扉体の上段部をフラップゲートで構成できるから、扉体の上段部の開口部を大きくすることが可能になるので、引き波等を開口部からスムーズに海側に排除することができる。
【００１７】
さらに、扉体の上段部をフラップゲートで構成するだけであるから、既設の水門であっても、扉体を交換するだけで簡単に適用することができる。
【００１８】
前記扉体の下段部の海側の面に、上下揺動自在に支持されたレバー部材が設けられ、前記カウンタウェイトは、前記レバー部材の一端部に取付けられ、このレバー部材の他端部と前記フラップゲートとがリンク部材で連結されて、前記フラップゲートに河川側から水圧が作用している間は、前記フラップゲートの倒伏・開き方向の揺動でリンク部材を介してレバー部材がカウンタウェイトを持ち上げながら略横向き方向に揺動され、前記フラップゲートに河川側から水圧が作用しなくなったときは、前記カウンタウェイトの重量で前記レバー部材が略下向き方向に揺動されて、前記リンク部材を介してフラップゲートが起立・全閉位置に揺動されるようになる構成とすることができる。
【００１９】
この構成によれば、カウンタウェイトとレバー部材は、扉体の下段部の海側の面を利用することで、扉体の下段部に合理的に設けることができる。また、カウンタウェイトのレバー部材は、リンク部材を介して扉体に連結しているから、レバー部材とリンク部材との簡単な機械的連結構造となるので、作動の信頼性が高まるとともに、製造・据付けのコストも安価にできる。さらに、フラップゲートが起立・全閉位置に揺動されているときは、レバー部材は略下向き方向に揺動されているから、カウンタウェイトのモーメントが小さくなる。したがって、河川側からの水位若しくは水圧が低くても、フラップゲートが倒伏・開き方向にスムーズに揺動するようになる。
【００２０】
前記扉体の海側の面に、前記フラップゲートが起立・全閉位置では引き下げられ、倒伏・全開位置では引き上げられるロープ部材が設けられ、前記カウンタウェイトは、前記ロープ部材の下端部側に複数個に分割されて取付けられ、各分割カウンタウェイトは、前記フラップゲートが倒伏・開き方向に揺動するときは、前記ロープ部材で上から順に持ち上げられ、前記フラップゲートが起立・閉じ方向に揺動するときには、下から順に水路の底面に積み上げられるようになっており、前記フラップゲートに河川側から水圧が作用している間は、前記フラップゲートの倒伏・開き方向の揺動でロープ部材を介して分割カウンタウェイトが上から順に持ち上げられ、前記フラップゲートに河川側から水圧が作用しなくなったときは、前記分割カウンタウェイトの重量で、前記ロープ部材を介してフラップゲートが起立・全閉位置に揺動されるようになる構成とすることができる。
【００２１】
この構成によれば、カウンタウェイトとロープ部材は、扉体の海側の面を利用することで、扉体に合理的に設けることができる。また、カウンタウェイトは、ロープ部材を介して扉体に連結しているから、簡単な機械的連結構造となるので、作動の信頼性が高まるとともに、製造・据付けのコストも安価にできる。さらに、フラップゲートが起立・全閉位置に揺動されているときは、分割カウンタウェイトの内、上の分割カウンタウェイトだけでフラップゲートを起立・全閉位置に揺動させるように設定すれば、カウンタウェイトが軽くなる。したがって、河川側からの水位若しくは水圧が低くても、フラップゲートが倒伏・開き方向にスムーズに揺動するようになる。
【００２２】
前記扉体の上段部の略全面に、正面視で略Ｕ字状の開口部が形成され、この開口部に前記フラップゲートが嵌め合わされている構成とすることができる。
【００２３】
この構成によれば、扉体の上段部のほぼ全面をフラップゲートで構成できるから、扉体の上段部の開口部を大きく確保できるので、引き波等を開口部から、よりスムーズに海側に排除することができる。
【発明の効果】
【００２４】
本発明によれば、防潮水門の扉体を開制御できない場合であっても、内水排除が確実に行えるようになる。
【図面の簡単な説明】
【００２５】
【図１】本発明の実施形態の防潮水門であり、（ａ）は水路を開いた扉体の上動時の斜視図、（ｂ）は水路を閉じた扉体の下動時の斜視図である。
【図２】図１の防潮水門であり、水路を閉じた扉体の下動時にフラップゲートを開いた斜視図である。
【図３】扉体であり、（ａ）は側面図、（ｂ）は背面図である。
【図４】レバー式カウンタウェイトの実施形態であり、（ａ）はフラップゲートが起立・全閉位置の側面図、（ｂ）はその背面図である。
【図５】レバー式カウンタウェイトの実施形態であり、（ａ）はフラップゲートが４５度半開位置の側面図、（ｂ）はその背面図である。
【図６】レバー式カウンタウェイトの実施形態であり、（ａ）はフラップゲートが倒伏・全開位置の側面図、（ｂ）はその平面図である。
【図７】ロープ式カウンタウェイトの実施形態であり、（ａ）はフラップゲートが起立・全閉位置の側面図、（ｂ）はその背面図である。
【図８】ロープ式カウンタウェイトの実施形態であり、（ａ）はフラップゲートが８０度半開位置の側面図、（ｂ）はその背面図である。
【図９】ロープ式カウンタウェイトの実施形態であり、（ａ）はフラップゲートが６０度半開位置の側面図、（ｂ）はその背面図である。
【図１０】ロープ式カウンタウェイトの実施形態であり、（ａ）はフラップゲートが倒伏・全開位置の側面図、（ｂ）はその平面図である。
【図１１】ロープ式カウンタウェイトにおけるカウンタウェイトと開度との関係を示すグラフである。
【図１２】防潮水門であり、（ａ）は扉体開時の正面図、（ｂ）は扉体閉時の斜視図である。
【発明を実施するための形態】
【００２６】
以下、本発明を実施するための形態について、図面を参照しながら詳細に説明する。なお、背景技術と同一構成・作用の箇所は、同一番号を付して詳細な説明を省略する。
【００２７】
図１は防潮水門１０であり、（ａ）は水路３を開いた扉体１１の上動時Ｕの斜視図、（ｂ）は水路３を閉じた扉体１１の下動時Ｄの斜視図である。図２は防潮水門１０であり、水路３を閉じた扉体１１の下動時Ｄにフラップゲート１２を開いた斜視図である。図３は扉体１１であり、（ａ）は側面図、（ｂ）は背面図である。
【００２８】
図１および図２のように、防潮水門１０は、河川１に設置されて、扉体１１の上動時Ｕに水路３を開くとともに〔図１（ａ）参照〕、扉体１１の下動時Ｄに水路３を閉じるように開閉制御される〔図１（ｂ）参照〕。
【００２９】
扉体１１は、ほぼ均等な高さで上段部１１Ａと下段部１１Ｂとに区分けされている。この扉体１１の上段部１１Ａの略全面には、図３のように、正面視で略Ｕ字状の開口部１１ａが形成され、この開口部１１ａにフラップゲート１２が嵌め合わされている。
【００３０】
このフラップゲート１２は、下段部１１Ｂの上部に下端部が複数のヒンジ金具１３で結合されて、扉体１１の下動時Ｄに、河川方向に略垂直に起き上がる起立・全閉位置Ｃと、海側方向に略９０度で倒れる倒伏・全開位置Ｏとに揺動自在に支持されている。
【００３１】
図３のように、扉体１１の上段部１１Ａと下段部１１Ｂの両側面には、複数のローラ１５がそれぞれ取付けられ、各ローラ１５が防潮水門１０の内側に形成されたガイド溝（不図示）でガイドされることで、扉体１１が上下動するようになっている（ローラゲート）。なお、防潮水門１０は、ローラゲートに限るものではなく、スライドゲートのような引き上げ式ゲートでも適用可能である。
【００３２】
扉体１１の上段部１１Ａの上部両側にはシーブ（溝車）１６がそれぞれ取付けられ、各シーブ１６に防潮水門１０の上部に設置された電動ドラムのロープ（いずれも不図示）が掛け回されて、電動ドラムによるロープの巻き取り・巻き戻し操作によって、扉体１１が電動で上下動するようになっている。
【００３３】
図４〜図６は、フラップゲート１２を起立・全閉位置Ｃに保持するレバー式カウンタウェイト１８の実施形態であり、図４（ａ）はフラップゲート１２が起立・全閉位置Ｃの側面図、（ｂ）はその背面図である。図５（ａ）はフラップゲート１２が４５度半開位置の側面図、（ｂ）はその背面図である。図６（ａ）はフラップゲート１２が倒伏・全開位置Ｏの側面図、（ｂ）はその平面図である。
【００３４】
図４のように、扉体１１の下段部１１Ｂの海側の面の両側には、軸部材２０で上下揺動自在に支持されたく字状のレバー部材１７がそれぞれ設けられている。
【００３５】
カウンタウェイト１８は、各レバー部材１７の一端部１７ａに取付けられ、このレバー部材１７の他端部１７ｂとフラップゲート１２の背面のブラケット１２ｂとがリンク部材１９で連結されている。
【００３６】
そして、フラップゲート１２が図４の起立・全閉位置Ｃでは、海側からの津波や高潮による押し波ａは、扉体１１全体で止められて、河川の上流側に遡上するのが阻止されるようになる。
【００３７】
一方、図５及び図６のように、フラップゲート１２に河川側からの引き波（出水を含む。以下単に引き波と称する。）ｂの水圧が作用すると、フラップゲート１２は倒伏・開き方向に揺動する。このとき、リンク部材１９を介してレバー部材１７がカウンタウェイト１８を持ち上げながら略横向き方向に揺動されるようになる。
【００３８】
その後、フラップゲート１２に河川側からの引き波ｂの水圧が作用しなくなったときは、図４のように、カウンタウェイト１８の重量でレバー部材１７が略下向き方向に揺動されて、リンク部材１９を介してフラップゲート１２が起立・全閉位置Ｃに揺動されるようになる。
【００３９】
すなわち、カウンタウェイト１８は、フラップゲート１２を常時は起立・全閉位置Ｃに保持するとともに、河川側からの引き波ｂの水圧が作用している間は、フラップゲート１２を倒伏・開き方向に揺動させるようにバランスさせるものである。
【００４０】
前記のように防潮水門１０を構成すれば、扉体１１の上段部１１Ａは、扉体１１の下段部１１Ｂにヒンジ結合したフラップゲート１２で構成して、河川方向に起き上がる起立・全閉位置Ｃと、海側方向に倒れる倒伏・全開位置Ｏとに揺動自在に支持する。
【００４１】
そして、フラップゲート１２にカウンタウェイト１８を連結し、カウンタウェイト１８により、フラップゲート１２を、常時は起立・全閉位置Ｃに保持するとともに、河川側からの引き波ｂの水圧が作用している間は、倒伏・開き方向に揺動するようにバランスさせている。
【００４２】
したがって、防潮水門１０の扉体１１を開制御できない場合であっても、引き波ｂの水圧によって、フラップゲート１２が自動的に無動力で倒伏・開き方向に揺動することで、扉体１１の上段部１１Ａに開口部１１ａが形成されるようになる。
【００４３】
これにより、引き波ｂや浮遊物は、扉体１１の上段部１１Ａの開口部１１ａを通過して海側に確実に排除されるようになる（内水排除）。この結果、引き波ｂが防潮水門１０の上流側に溜まりにくくなって、洪水被害や交通網の麻痺のような弊害が発生するおそれが少なくなる。
【００４４】
また、扉体１１の上段部１１Ａをフラップゲート１２で構成できるから、扉体１１の上段部１１Ａの開口部１１ａを大きくすることが可能になるので、引き波ｂや浮遊物を開口部１１ａからスムーズに海側に排除することができる。
【００４５】
さらに、扉体１１の上段部１１Ａをフラップゲート１２で構成するだけであるから、既設の水門であっても、扉体１１を交換するだけで簡単に適用することができる。
【００４６】
また、レバー式カウンタウェイト１８の場合、カウンタウェイト１８とレバー部材１７は、扉体１１の下段部１１Ｂの海側の面を利用することで、扉体１１の下段部１１Ｂに合理的に設けることができる。さらに、カウンタウェイト１８のレバー部材１７は、リンク部材１９を介して扉体１１に連結しているから、レバー部材１７とリンク部材１９との簡単な機械的連結構造となるので、作動の信頼性が高まるとともに、製造・据付けのコストも安価にできる。
【００４７】
さらにまた、フラップゲート１２が起立・全閉位置Ｃに揺動されているときは、レバー部材１７は略下向き方向に揺動されているから、カウンタウェイト１８のモーメントが小さくなる。したがって、河川側からの引き波ｂの水位若しくは水圧が低くても、フラップゲート１２が倒伏・開き方向にスムーズに揺動するようになる。
【００４８】
また、扉体１１の上段部１１Ａのほぼ全面をフラップゲート１２で構成できるから、扉体１１の上段部１１Ａの開口部１１ａを大きく確保できるので、引き波ｂや浮遊物を開口部１１ａから、よりスムーズに海側に排除することができる。
【００４９】
図７〜図１１は、フラップゲート１２を起立・全閉位置Ｃに保持するロープ式カウンタウェイト１８（Ａ〜Ｃ）の実施形態であり、図７（ａ）はフラップゲート１２が起立・全閉位置Ｃの側面図、（ｂ）はその背面図である。図８（ａ）はフラップゲート１２が８０度半開位置の側面図、（ｂ）はその背面図である。図９（ａ）はフラップゲート１２が６０度半開位置の側面図、（ｂ）はその背面図である。図１０（ａ）はフラップゲート１２が倒伏・全開位置Ｏの側面図、（ｂ）はその平面図である。図１１はカウンタウェイト１８（Ａ〜Ｃ）と開度との関係を示すグラフである。
【００５０】
図７のように、扉体１１の海側の面の両側には、フラップゲート１２が起立・全閉位置Ｃでは引き下げられ、倒伏・全開位置Ｏでは引き上げられるロープ部材２１がそれぞれ設けられている。
【００５１】
具体的には、フラップゲート１２の外側面の上部に、背面方向に突出するブラケット２２が取付けられている。また、上段部１１Ａの開口部１１ａの内側面の上部に、起立・全閉位置Ｃのフラップゲート１２の外側面と対向して、上転向シーブ２３Ａが取付けられ、下段部１１Ｂの上部に、背面方向に突出する下転向シーブ２３Ｂが取付けられている。
【００５２】
ロープ部材２１は、上端部がブラケット２２に連結されて、上転向シーブ２３Ａと下転向シーブ２３Ｂとに掛け回され、カウンタウェイト１８のシーブ２４に掛け回されてＵターンし、下端部が下段部１１Ｂの上部に連結されている。
【００５３】
カウンタウェイト１８は、複数個（本例では３個）に分割されて、例えば、上部の分割カウンタウェイト１８Ａは総重量の３０％、中部の分割カウンタウェイト１８Ｂは総重量の３０％、下部の分割カウンタウェイト１８Ｃは総重量の４０％に設定している。
【００５４】
カウンタウェイト１８のシーブ２４は、上部の分割カウンタウェイト１８Ａに取付けられていて、各分割カウンタウェイト１８Ａ〜１８Ｃは、連結具２５で順次に持ち上げ可能、かつ積み上げ可能に連結されている。
【００５５】
そして、各分割カウンタウェイト１８Ａ〜１８Ｃは、フラップゲート１２が倒伏・開き方向に揺動するときは、ロープ部材２１で上から順に持ち上げられ、フラップゲート１２が起立・閉じ方向に揺動するときには、下から順に水路３の底面に積み上げられるようになっている。
【００５６】
本例の場合、フラップゲート１２が起立・全閉位置Ｃに揺動されているときは、分割カウンタウェイト１８Ａ〜１８Ｃの内、上部の分割カウンタウェイト１８Ａだけでフラップゲート１２を起立・全閉位置Ｃに揺動させるように設定している。
【００５７】
すなわち、図１１のグラフを参照すれば、図７の起立・９０度全閉位置Ｃと図８の８０度半開位置との間は、分割カウンタウェイト１８Ａの重量（３０％）がロープ部材２１に作用するように設定している。また、図８の８０度半開位置と図９の６０度半開位置との間は、分割カウンタウェイト１８Ａ，１８Ｂの重量（計６０％）がロープ部材２１に作用するように設定している。さらに、図９の６０度半開位置と図１０の倒伏・全開位置Ｏとの間は、分割カウンタウェイト１８Ａ，１８Ｂ，１８Ｃの重量（計１００％）がロープ部材２１に作用するように設定している。
【００５８】
そして、フラップゲート１２が図７の起立・全閉位置Ｃでは、海側からの津波や高潮による押し波ａは、扉体１１全体で止められて、河川の上流側に遡上するのが阻止されるようになる。
【００５９】
一方、図８、図９および図１０のように、フラップゲート１２に河川側からの引き波ｂの水圧が作用すると、フラップゲート１２は倒伏・開き方向に揺動する。このとき、ロープ部材２１が引き上げられて、各分割カウンタウェイト１８Ａ〜１８Ｃは、ロープ部材２１で上から順に持ち上げられるようになる。
【００６０】
その後、フラップゲート１２に河川側からの引き波ｂの水圧が作用しなくなったときは、図７のように、各分割カウンタウェイト１８Ａ〜１８Ｃの重量でロープ部材２１が引き下げられて、各分割カウンタウェイト１８Ａ〜１８Ｃは、下から順に水路３の底面に積み上げられるようになる。
【００６１】
すなわち、カウンタウェイト１８Ａ〜１８Ｃは、フラップゲート１２を常時は起立・全閉位置Ｃに保持するとともに、河川側からの引き波ｂの水圧が作用している間は、フラップゲート１２を倒伏・開き方向に揺動させるようにバランスさせるものである。
【００６２】
前記のように防潮水門１０を構成すれば、前述のレバー式カウンタウェイト１８と同様の作用効果に加えて、カウンタウェイト１８Ａ〜１８Ｃとロープ部材２１は、扉体１１の海側の面を利用することで、扉体１１に合理的に設けることができる。
【００６３】
また、カウンタウェイト１８Ａ〜１８Ｃは、ロープ部材２１を介して扉体１１に連結しているから、簡単な機械的連結構造となるので、作動の信頼性が高まるとともに、製造・据付けのコストも安価にできる。
【００６４】
さらに、フラップゲート１２が起立・全閉位置Ｃに揺動されているときは、分割カウンタウェイト１８Ａ〜１８Ｃの内、上の分割カウンタウェイト１８Ａだけでフラップゲート１２を起立・全閉位置に揺動させるように設定すれば、カウンタウェイト１８Ａが軽くなる。したがって、河川側からの引き波ｂの水位若しくは水圧が低くても、フラップゲート１２が倒伏・開き方向にスムーズに揺動するようになる。
【符号の説明】
【００６５】
１      河川
３      水路
１０    防潮水門
１１    扉体
１１Ａ  上段部
１１Ｂ  下段部
１１ａ  開口部
１２    フラップゲート
１３    ヒンジ金具
１７    レバー部材
１７ａ  一端部
１７ｂ  他端部
１８    カウンタウェイト
１８Ａ〜１８Ｃ  分割カウンタウェイト
１９    リンク部材
２１    ロープ部材
２３Ａ，２３Ｂ  転向シーブ
２５    連結具
ｂ      引き波（出水）
Ｃ      起立・全閉位置
Ｏ      倒伏・全開位置
Ｕ      上動時
Ｄ      下動時
【図１】
2014125762.tif 000003
【図２】
2014125762.tif 000004
【図３】
2014125762.tif 000005
【図４】
2014125762.tif 000006
【図５】
2014125762.tif 000007
【図６】
2014125762.tif 000008
【図７】
2014125762.tif 000009
【図８】
2014125762.tif 000010
【図９】
2014125762.tif 000011
【図１０】
2014125762.tif 000012
【図１１】
2014125762.tif 000013
【図１２】
2014125762.tif 000014